(57)【特許請求の範囲】
【請求項１】
ファスナー打ち込み機のハウジングの上部に設けられたシリンダキャップをそれぞれ有弾性材料からなる第１のプロテクタと第２のプロテクタとからなるプロテクタにより被覆するファスナー打ち込み機のプロテクタにおいて、
前記第１のプロテクタはハウジング又はシリンダキャップの表面に接着固着されて上記表面の一部を被覆し、前記第２のプロテクタの表面には第１のプロテクタに嵌合する開口部を有し、かつその弾性を利用して前記シリンダキャップの上部を被覆するとともに、第２のプロテクタを、前記第１のプロテクタに係合した
ことを特徴とするファスナー打ち込み機のプロテクタ。
【請求項２】
前記第１のプロテクタの周縁部のうち、前記第２のプロテクタの開口部に係合する下側の縁部をアンダーカットして、前記開口部の縁部が食い込むように案内するテーパ部を形成したことを特徴とする、請求項１に記載のファスナー打ち込み機のプロテクタ。
【発明の詳細な説明】
【技術分野】
【０００１】
本発明はファスナー打ち込み機のプロテクタ構造に関し、詳しくはファスナー打ち込み
機のハウジングを保護すると共に、ファスナーの打ち込み作業の途中で該打ち込み機を仕
上げ材上に置き放し、もしくは仕上げ材上で引きずることがあっても仕上げ材表面に傷を
付けないようにするための該打ち込み機ハウジング外表面に装着されるプロテクタ構造に
関する。
【背景技術】
【０００２】
従来のファスナー打ち込み機のプロテクタ構造として、プロテクタの打ち込み機への装
着が、打ち込み機のボディ側に形成された凹状係止溝にゴムや合成樹脂等からなるプロテ
クタの内側縁部に形成されたリブ状凸条片を嵌め込むことでなされるものが知られている
（例えば、特許文献１参照）。また、プロテクタの上部および下部にそれぞれ設けられた
リップ部をファスナー打ち込み機（釘打機）のハウジング側部上下に形成された装着溝部
にそれぞれ挿入係止してなされるものも知られている（例えば、特許文献２参照）。
【０００３】
さらに、ファスナー打ち込み機のシリンダキャップやボディに形成された突起部に、プ
ロテクタの穴を引っ掛けることで前記シリンダキャップやボディにプロテクタを装着する
ものや、プロテクタをシリンダキャップやボディに直接接着して固定するものも知られて
いる。
【特許文献１】特許第３６８０９３７号公報
【特許文献２】特開２００２−１２７０３９号
【発明の開示】
【発明が解決しようとする課題】
【０００４】
ところで、上述の特許文献１に記載のプロテクタは、ファスナー打ち込み機のハウジン
グ（ボディ）への装着は容易であるが、取外しには工具を必要とし、その取り扱い性は良
好なものでなく、またプロテクタが破損による剥離で外れたり紛失したりした場合等のプロテク
タ不装着時には打ち込み機のハウジングの保護が充分になされないばかりか、打ち込み機
の仕上げ材への接触により該仕上げ材の表面に傷を付けてしまうことになる。
【０００５】
さらに、プロテクタ装着のためのリブ状凸条片がプロテクタ内側の縁部に形成されてお
り、このリブ状凸状片の形成は金型成形における型抜きを悪くするのでプロテクタの製作
効率を低下させることになる。
【０００６】
また、上述の特許文献２に記載のプロテクタは、ハウジング側部上下部に設けられた装
着溝部にプロテクタ上下部のリップ部が挿入係止されることで装着されているので、打ち
込み機の使用において振動等によりプロテクタの係止が緩み、プロテクタが移動して抜け
出す恐れがある。
【０００７】
さらに、上述のハウジング（シリンダキャップまたはボディ）の突起にプロテクタの穴
を引っ掛けて装着するプロテクタにおいては、突起に引っ掛けるだけであるのでプロテク
タが外れ易く、このためプロテクタの穴を突起に引っ掛けた状態においてさらにその上面
を別部品で覆う構造であり、この別部品は工具を用いて固定しており、プロテクタの取外
し時にも工具が必要である。また上述のプロテクタをハウジングに直接接着するものにお
いては、プロテクタ破損時における該プロテクタの交換が困難である。
【０００８】
本発明は上述の従来知られたファスナー打込み機におけるプロテクタの持つ問題点を解
消し、装着時には不用意に外れることがなく、それでいて着脱性が良好であり、一方のプ
ロテクタが破損紛失しても他方のプロテクタが保護機能を果たすことができる、プロテク
タ構造の提供をその課題とするものである。
【課題を解決するための手段】
【０００９】
上記課題を解決するため、請求項１に係る発明は、ファスナー打ち込み機のハウジングの上部に設けられたシリンダキャップをそれぞれ有弾性材料からなる第１のプロテクタと第２のプロテクタとからなるプロテクタにより被覆するファスナー打ち込み機のプロテクタにおいて、前記第１のプロテクタはハウジング又はシリンダキャップの表面に接着固着されて上記表面の一部を被覆し、前記第２のプロテクタの表面には第１のプロテクタに嵌合する開口部を有し、かつその弾性を利用して前記シリンダキャップの上部を被覆するとともに、第２のプロテクタを、前記第１のプロテクタに係合したことを特徴とする。
【００１０】
請求項２に係る発明は、請求項１において、前記第１のプロテクタの周縁部のうち、前記第２のプロテクタの開口部に係合する下側の縁部をアンダーカットして、前記開口部の縁部が食い込むように案内するテーパ部を形成したことを特徴とする。
【発明の効果】
【００１１】
請求項１に係る発明によれば、第１のプロテクタはハウジング又はシリンダキャップの
表面に接着固着されて上記表面の一部を被覆し、前記第２のプロテクタは、その弾性を利
用して前記シリンダキャップの上部を被覆するとともに、第２のプロテクタを、前記第１
のプロテクタに係合して取り付けたので、プロテクタ装着のための係合溝部や係止凸部等
の特別の加工部を打ち込み機側に直接形成する必要がなく、また装着のための工具を必要
としない。
【００１２】
また、第２のプロテクタは弾性を利用して第１のプロテクタに係合されるので、位置ズ
レを起こすことなく、シリンダキャップと密着しており作業中に不用意に外れることはな
い。
【００１３】
さらに、第２のプロテクタが破損等により外れた場合においても、合成樹脂製の第１の
プロテクタが打込み機のハウジングに固着されており、ファスナー打ち込み機が被打込み
材上に落下して接触しても、第１のプロテクタによりファスナー打ち込み機が保護され、
同時に仕上げ材等被打ち込み材の表面の傷付きが効果的に防止される。
【００１４】
そして、第２のプロテクタは有弾性材料から構成され、その弾性を利用して取り外すこ
とも容易であるから、カラーバリエーションが豊富なプロテクタをユーザ側で自由に交換
使用できる。また、第１および第２のプロテクタは合成樹脂製であるから、ファスナー打
ち込み機の軽量化に寄与する。
【００１５】
さらに、第２のプロテクタの開口部が第１のプロテクタに嵌合する構成であるから、両プロテクタは装着状態において互いに殆ど隙間なく密着するので、良好な外観性を保ち一体感のあるデザイン効果をもたらすことができる。また、第２のプロテクタはファスナーの打ち込み作業中に不用意に外れることはない。
【００１６】
請求項２に係る発明によれば、前記第１のプロテクタの内周縁部のうち、前記シリンダ
キャップの上部と反対側で第２のプロテクタの開口部に係合する縁部をアンダーカットし
て、前記開口部の縁部が食い込むように案内するテーパ部を形成したから、第２のプロテ
クタがシリンダキャップの上方から外れるような力を受ける力が強いほど、第２のプロテ
クタの開口部の上記縁部が第１のプロテクタのテーパ部に案内されて食い込む傾向が強く
なる。したがって、第２のプロテクタは外れにくく、第２のプロテクタの保持が確保され
る。
【発明を実施するための最良の形態】
【００１７】
図１はプロテクタ１が装着されたファスナー打ち込み機Ｆの側面図で、圧縮空気等を動
力源として作動し、ハウジング１０内に図示されないシリンダやピストンを備える駆動部
と、ハウジング１０内を上下移動して図示されない釘等のファスナーを打撃するドライバ
を内蔵し、ハウジング１０の下部には射出路を有するファスナー打出し用ノーズ部１１が
備えられている。
【００１８】
そして、ハウジング１０の上部はシリンダキャップ１２により覆われており、また、ハ
ウジング１０と一体にグリップ１３が備えられ、グリップ１３の下部にはファスナーマガ
ジン１４が備えられている。
【００１９】
図２に示されるように、ハウジング１０の上端開口１０ａを覆うシリンダキャップ１２
の外表面１２ａには、該キャップ１２の外表面１２ａを保護すると同時にファスナー打ち
込み機Ｆと仕上げ材等の被打ち込み部材との直接の接触を防ぐための保護部材であるプロ
テクタ１が装着されている。
【００２０】
さらに、図３に示されるように、プロテクタ１は、可撓性のゴムもしくは合成樹脂など
の有弾性材料から金型成形等により成形される成形品で、２つの異なる構造の第１のプロ
テクタ２と第２のプロテクタ３の２部品からなり、これら第１および第２のプロテクタ２
、３がシリンダキャップ１２の外表面１２ａ上で互いに接合関係となって該シリンダキャ
ップ外表面１２ａの略全面を覆っている。
【００２１】
第１のプロテクタ２は、図２（ａ）（ｂ）および図３に図示されるように、比較的小さ
な表面積を持つやや厚手で略矩形状の外形形状を有し、シリンダキャップ１２の左右両側
外表面にそれぞれ取付けられている。第１のプロテクタ２は比較的弾性の低い材料から形
成され、上述のシリンダキャップ１２の左右両側外表面にそれぞれ接着剤を用いて貼り付
け固着されている。
【００２２】
ところで、第１のプロテクタ２の内周縁部のうち、シリンダキャップ１２の下側の縁部
２ａは、貼り付け面２ｂ側に向かってアンダーカットされてテーパ部として形成されてい
る。他の縁部、つまり打ち込み機Ｆの後方側に指向する上側と前後側の縁部は、いずれも
略垂直な面として形成されている。
【００２３】
第２のプロテクタ３は、シリンダキャップ外表面１２ａの第１のプロテクタ２で覆われ
た部分を除く略全面を覆う保護部材であり、このプロテクタ３は、上記シリンダキャップ
１２の外表面１２ａにピッタリと嵌まり込む帽子型の形状をなし、その両側には第１のプ
ロテクタ２に嵌合するための開口部４を備えている。開口部４は、図１および図２（ａ）
に図示されるように、第１のプロテクタ２の外形形状に相当する形状を備えている。
【００２４】
なお、第２のプロテクタ３の開口部４の内周縁部３ａは、開口部４の内側に向かって低
くなるように傾斜するように形成されている。この傾斜角度はシリンダキャップ１２の下
側の縁部２ａの角度と同じかそれよりも小さくなるように形成するのが好ましい。
【００２５】
次に、第２のプロテクタ３をシリンダキャップ１２に装着するときは、シリンダキャッ
プ１２の上部に被せた後、左右の第１のプロテクタ２の位置を確認しながらその弾性を利
用して引っ張り、左右の開口部４を第１のプロテクタ２の外周縁部に嵌合させて係合する
。これにより、第１および第２のプロテクタ２、３は装着状態において互いに殆ど隙間な
く密着するので、シリンダキャップ１２の外表面１２ａの全面は、第１のプロテクタ２と
第２のプロテクタ３により密着状態で略完全に覆うことができる。
【００２６】
以上のように、上記プロテクタ構造によれば、第１のプロテクタ２はハウジング１０に
接着固着されて該シリンダキャップ１２の一部を被覆し、前記第２のプロテクタ３は、そ
の弾性を利用して前記シリンダキャップ１２の上部を被覆するとともに、前記第１のプロ
テクタ２に係合させて装着する構造であるから、ファスナー打ち込み工具Ｆ側にプロテク
タ装着のための係合溝部や係止凸部等の特別の加工部を打ち込み機側に直接形成する必要
がなく、また装着のための工具を必要としない。
【００２７】
さらに、第２のプロテクタ３は弾性を利用して第１のプロテクタ２に係合されるので、
位置ズレを起こすことなく、シリンダキャップ１２と密着しており作業中に不用意に外れ
ることはない。
【００２８】
さらにまた、第２のプロテクタ３が破損等により外れた場合においても、合成樹脂製の
第１のプロテクタ２が打込み機のハウジング１０に固着されており、ファスナー打ち込み
機Ｆが被打込み材上に落下して接触しても、図４に示されるように、第１のプロテクタ２
によりファスナー打ち込み機が保護され、同時に仕上げ材等被打ち込み材の表面の傷付き
が効果的に防止される。なお、ノーズ部１１の基部の左右両側にも弾性体５を取り付けて
おけば保護効果はさらに向上する。
【００２９】
そして、第２のプロテクタ３は有弾性材料から構成され、その弾性を利用して取り外す
ことも容易であるから、カラーバリエーションが豊富なプロテクタをユーザ側で自由に交
換使用することができる。また、第１および第２のプロテクタ２、３は合成樹脂製である
から、ファスナー打ち込み機Ｆの軽量化に寄与する。
【００３０】
また、第２のプロテクタ３の開口部４が第１のプロテクタ２に嵌合する構成であるから
、両プロテクタ２、３は装着状態において互いに殆ど隙間なく密着するので、良好な外観
性を保ち一体感のあるデザイン効果をもたらすことができる。また、第２のプロテクタ３
はファスナーの打ち込み作業中に不用意に外れることはない。
【００３１】
さらに、前記第１のプロテクタ２の内周縁部のうち、前記シリンダキャップ１２の下側
で第２のプロテクタ３の開口部４に係合する縁部２ａをアンダーカットして、前記開口部
４の縁部３ａが食い込むように案内するテーパ部を形成したから、第２のプロテクタ３が
シリンダキャップ１２の上方から外れるような力を受ける力が強いほど、第２のプロテク
タ３の開口部４の上記縁部３ａが第１のプロテクタ２のテーパ部２ａに案内されて食い込
む傾向が強くなる。特に、上記縁部３ａは、開口部４の内側に向かって低くなるように傾
斜しているので、食い込みは確実となる。したがって、第２のプロテクタ３は外れにくく
、第２のプロテクタ３の保持が確保される。
【００３２】
なお、上記実施形態では、第１のプロテクタ２に対する第２のプロテクタ３の係合態様
として、第２のプロテクタ３の開口部４を嵌合して係合するものを示したが、第２のプロ
テクタが保持されるように係合するものであればよく、上記実施形態に限定されない。
【図面の簡単な説明】
【００３３】
【図１】本発明のファスナー打ち込み機の外観側面図である。
【図２】本発明のファスナー打ち込み機の主要部を示す図であり、（ａ）は、主要部    の拡大側面図であり、（ｂ）は（ａ）におけるＡ−Ａ線上の断面図である。
【図３】本発明のプロテクタの分解図であり、断面にて示される図である。
【図４】本発明のファスナー打ち込み機の外観上面図であり、片方のプロテクタは装    着されていない状態を示す図である。
【符号の説明】
【００３４】
Ｆ      ファスナー打ち込み機
１      プロテクタ
２      第１のプロテクタ
２ａ    縁部（テーパ部）
３      第２のプロテクタ
４    開口部
１０    ハウジング
１２    シリンダキャップ
【図１】
0004670742.tif 000002
【図２】
0004670742.tif 000003
【図３】
0004670742.tif 000004
【図４】
0004670742.tif 000005